(57)【特許請求の範囲】
【請求項１】
前面に開口を有して内部に貯蔵室を備えた断熱箱体と、この断熱箱体の前面開口を開閉自在に閉塞するガラス扉と、このガラス扉の前面上部に設けられた照明用ランプと、この照明用ランプを覆うカバーとを備えた低温ショーケースにおいて、
前記カバーは、前記ガラス扉のガラスの前方に突出し、かつ、このカバーの下縁部は、右が上方へ左が下方へ下がっているとともに、前記カバーの下縁部には開口した切欠部が設けられ、この切欠部の縁部は、前記カバーの下縁部と照明用ランプとの距離が接近するに従い前方に移動させていることを特徴とする低温ショーケース。
【発明の詳細な説明】
【０００１】
【発明の属する技術分野】
本発明は、断熱箱体の前面開口をガラス扉にて開閉自在に閉塞して成る低温ショーケースに関するものである。
【０００２】
【従来の技術】
従来よりこの種低温ショーケースは、例えば特開平４−１９３１１２号公報に示されている如く、貯蔵室を有する断熱箱体の前面開口は透視可能なガラス扉により開閉自在に閉塞していた。そして、このガラス扉の前面上部に照明用の蛍光ランプを設け、この蛍光ランプの周囲を透光性のカバー（シェード）により覆っていた。
【０００３】
これにより、蛍光ランプは低温ショーケース前方を照明するとともに、貯蔵室内の商品の展示効果をあげていた。
【０００４】
【発明が解決しようとする課題】
しかしながら、低温ショーケースによっては、構造上、デザイン上又は強度上等の問題から、透光性の樹脂からなるカバー（シェード）を全面に採用できない場合があり、カバー（シェード）全体としては鋼板や非透光性の樹脂から構成し、蛍光ランプの前方のみ透光性樹脂を使用する場合もある。このようなカバー（シェード）の場合には、この鋼板等から構成されるカバー（シェード）の下部から、蛍光ランプの光が出ずに、カバー（シェード）の下方および斜め後方は暗く、貯蔵室の下部から中央部に対する照明効果は十分でなかった。
【０００５】
また、鋼板等から構成されるカバー（シェード）の下部を短くし、扉ガラス近傍を開放することもあったが、この場合には、蛍光ランプは貯蔵室の上方にある商品のみを照らし、下方の商品が照明されないということもあり、貯蔵室の商品に対する展示効果は優れているとはいえなかった。
【０００６】
更に、前記引例では、カバー（シェード）の下部が水平であったが、最近、デザイン上、カバー（シェード）の下部が水平でないものも提案されている。この場合に、単にカバー（シェード）の下部を短くし、扉ガラス近傍を開放したのみでは、以下のような不具合がある。すなわち、蛍光ランプからカバー（シェード）の下部の縁部を通過して貯蔵室の商品を照らす角度が一定でなくなるので、同一の棚に載置している商品であっても、貯蔵室の左右に置かれた商品とが異なる照度で照らされ、例えば、蛍光ランプの光が当たる商品と当たらない商品とが明瞭になってしまっている場合があり、貯蔵室の商品に対する展示効果は優れているとはいえなかった。
【０００７】
本発明は、係る従来の問題点を解決するために成されたものであり、貯蔵室の商品に対する蛍光ランプの照度を向上させるとともに、更に、カバー（シェード）の下部が、水平でない場合にも、同一の棚に載置している商品に対する照度を略均一にすることにより、商品に対する展示効果を向上させた低温ショーケースを提供することを目的とする。
【０００８】
【課題を解決するための手段】
本発明のショーケースは、前面に開口を有して内部に貯蔵室を備えた断熱箱体と、この断熱箱体の前面開口を開閉自在に閉塞するガラス扉と、このガラス扉の前面上部に設けられた照明用ランプと、この照明用ランプを覆うカバーとを備えたものであって、前記カバーは、前記ガラス扉のガラスの前方に突出し、かつ、このカバーの下縁部は、右が上方へ左が下方へ下がっているとともに、前記カバーの下縁部には開口した切欠部が設けられ、この切欠部の縁部は、前記カバーの下縁部と照明用ランプとの距離が接近するに従い前方に移動させているものである。
【０００９】
本発明によれば、貯蔵室の商品に対する蛍光ランプの照度を向上させるとともに、同一の棚に載置している商品に対する照度を略均一にすることにより、商品への展示効果を向上させることができる。
【００１０】
【発明の実施の形態】
以下、図面に基づき本発明の実施形態を詳述する。図１は本発明の低温ショーケース１の正面図、図２は本発明の低温ショーケース１の右側面図、図３は低温ショーケース１の平面図、図４は図１におけるＡ−Ａ断面図、図５は図１におけるＢ−Ｂ断面図、図６は図５におけるＣ部詳細図、図７は図４におけるＤ部詳細図、図８は図１におけるＥ−Ｅ断面図、図９は図１におけるＦ−Ｆ断面図、図１０は図１におけるＧ−Ｇ断面図、図１１は図９におけるＨ部詳細図、図１２は切欠部の縁部が前方に位置した場合の図１におけるＢ−Ｂ断面図をそれぞれ示している。
【００１１】
実施例の低温ショーケース１は、図５に示す如く、前面に開口２を有した貯蔵室３を内部に備えた断熱箱体４と、前記貯蔵室３の下側の断熱箱体４外に形成され、これも前面に開口６を有した機械室７などから構成されている。前記貯蔵室３内の後下部には断熱箱体４の背面と間隔を存して仕切板８が取り付けられ、この仕切板８と断熱箱体４間にダクト１１が形成されている。
【００１２】
そして、このダクト１１内に冷凍サイクルの周知の冷媒回路を構成する冷却器１３が縦設されると共に、ダクト１１の最上部は貯蔵室３の後下部に形成された吹出口１４にて貯蔵室３に連通している。そして、この貯蔵室３の下方には冷却用ファン１６が設けられている。仕切板８前方の貯蔵室３内には商品陳列用の棚１７Ａ、１７Ｂ，１７Ｃ・・・が複数段架設されており（図５には、最下段の棚１７Ａおよび下から２段目の棚１７Ｂのみを示す）、最下段の棚１７Ａの下側に位置した冷却用ファン１６により貯蔵室３内の冷気が吸込まれる。これにより、貯蔵室３内の冷気は冷却用ファン１６によって吸引され、冷却器１３方向に吹き出され、冷却器１３で冷却された冷気は吹出口１４から貯蔵室３内に吐出される循環を行う。
【００１３】
また、ガラス扉２２は、同図面上右側上下に設けられたヒンジ２３、２３にて断熱箱体４に回動自在に枢支されており、貯蔵室３の前面開口２は透視可能な複層ガラス２１が嵌め込まれたガラス扉２２により閉塞される。
【００１４】
一方、図４および図５に示す如く、前記機械室７内には前記冷凍サイクルの冷媒回路を構成する圧縮機２６や凝縮器２７などが設置されると共に、更にそれらに送風する凝縮器用ファン２８も設けられている。冷却器１３の除霜水を受ける露受皿２０が凝縮器２７の下方に設けられ、圧縮機２６および凝縮器２７は、開口６の左右方向に並設されて台脚２９上に設置されると共に、これらの後側に凝縮器用ファン２８が設置されている。尚、冷却用ファン１６と凝縮器用ファン２８とは、同軸の電動機３０に固定されており、電動機３０は常時連続運転をしている。
【００１５】
前記凝縮器用ファン２８は吸引型のファンであり、機械室７の後方下部から前方に延在するファンケース２４の上面に開口した開口部２５に位置して下向きに取り付けられている。係る機械室７の後面上部は閉塞板３２により、また、ファンケース２４の前方は台脚２９により閉塞され、ファンケース２４の下方および後方のみが開口している。これにより、凝縮器用ファン２８が運転されると、機械室７の後方および下方の空気はファンケース２４内に吸い込まれ、機械室７を経て前方の圧縮機２６、凝縮器２７および露受皿２０に吹き付けられることになる。それによって、凝縮器２７と圧縮機２６の放熱と、露受皿２０内の除霜水の蒸発を促進させる。
【００１６】
機械室７の前面の開口６には機械室カバー３３が取り付けられ、上方のガラス扉２２の下方に位置している。この機械室カバー３３は、硬質合成樹脂により成型されており、前面は湾曲した形状を呈している。更に、機械室カバー３３の上部には、複数の図示しないスリットにより吹出部３７が形成され、後述する枠部材３４の下枠３４Ｄの下部に形成された開口３５に連通している。尚、機械室カバー３３の内側の領域は後面に全て開放している。
【００１７】
ガラス扉２２は、図６に示す如く、樹脂の扉枠３６とこの扉枠３６に嵌め込まれた透明複層ガラス２１と、扉枠３６の内面周囲に取付けられたガスケット３９と、扉枠３６の外周部の前方に突出した枠部材３４とから成る。この枠部材３４は、透光性でない硬質合成樹脂により一体成型されたもので、図１に示す如く、上枠３４Ａ、左枠３４Ｂ、右枠３４Ｃおよび下枠３４Ｄの４辺から成る略ロ字状の形状であり、扉枠３６以外の部分（ガラスの部分）を透視可能とし、ガラス扉２２の扉枠３６に嵌合し固定されている。そして、この４辺３４Ａ、３４Ｂ、３４Ｃ、３４Ｄの各断面ともに、略コ字状を呈しており、その内部に空間３１を有している。この空間３１は、４辺３４Ａ、３４Ｂ、３４Ｃ、３４Ｄ相互に連通している。この枠部材３４の下枠３４Ｄの下部は、開口３５を有しており、前記機械室カバー３３の吹出部３７に連通している。この下枠３４Ｄの上部にはスリットを形成し、第１の吹出口４３としている。
【００１８】
枠部材３４の外観形状は、図２の右側面図に示す如く、意匠性の面より、上部の蛍光ランプ４０を収容する部分と、機械室カバー３３に連通する下部の部分とが拡大され、一方その間がなだらかに凹み、逆Ｓ字曲線状を呈している。尚、左側面図は、図２と対称に表れる。
【００１９】
上枠３４Ａの上部３４ｆには窓孔が設けられ、図３に示す如く、枠部材３４と同色に塗装された鋼板４８が図示しないネジにより固定されている。図５に示す如く、この鋼板４８から蛍光ランプ４０のソケット５５を固定するための左右一対のソケット取付板５６が垂下され、このソケット５５に、蛍光ランプ４０が略水平に取付けられている。また、上枠３４Ａの前面には、窓孔が穿設され、そこに乳白色の前面シェード５０が接着固定されている。
【００２０】
上枠３４Ａの下部３４ｅは、図１に示す如く、正面から見て右が上方へ、左が下方へなだらかに下がっていて、蛍光ランプ４０からの距離が漸次変化し、Ｓ字曲線状を呈することにより、意匠上の変化を持たせており、前述のような低温ショーケースの意匠として調和をもたせたものとなっている。
【００２１】
この上枠３４Ａの下部３４ｅには、図５および図７に示す如く、複数の切欠部４４、４４を設け、第２の吹出口とし、さらに下部３４ｅの一部を複層ガラス２１面に当接させた当接部４２を設けている。そして、上枠３４Ａの下部３４ｅが蛍光ランプ４０に接近するに従い、切欠部４４、４４の幅がしだいに広くなり、切欠部４４、４４の縁部４９、４９は、前方に移動している。
【００２２】
左枠３４Ｂおよび右枠３４Ｃの凹んだ部分には、図５および図１１に示す如く、ガラス扉２２の側に開口した第３および第４の吹出口４６、４６を設けている。扉枠３６の下部の前面側には、上方に開口した露受け部４７が左右に延在して形成され、この露受け部４７の中央部の下部には、水滴が落下可能な小孔４１が複数穿設されている。
【００２３】
以上の構成で、圧縮機２６、凝縮器用ファン２８および冷却用ファン１６が運転されると、冷却器１３が冷却作用を発揮し、それによって冷却された冷気は前述の如く冷却用ファン１６によって貯蔵室３内に循環する。これによって、貯蔵室３内は所定の低温度（冷蔵または冷凍）に冷却される。
【００２４】
他方、凝縮器用ファン２８の運転によって機械室７の後方および下方の外気は、先ずファンケース２４に流入し、凝縮器用ファン２８を経て凝縮器２７および圧縮機２６に吹き付けられ、それらを空冷する。このように凝縮器２７および圧縮機２６を順次空冷して暖かくなった外気（暖気）は、機械室７の後面およびファンケース２４前方が閉塞板３２および台脚２９によって閉塞されている関係上、図５中矢印の如く機械室７から前方に向かう。
【００２５】
そして、機械室カバー３３の上部に設けられた吹出部３７から枠部材３４の下枠３４Ｄの開口３５を経て下枠３４Ｄの空間３１に入り、一部は下枠３４Ｄに設けられた第１の吹出口４３から矢印の如く上方に吹き出され、上方のガラス扉２２の複層ガラス２１前面に向かって吹き出す。一方、残りの暖気は上下に延在する左枠３４Ｂ及び右枠３４Ｃの空間３１、３１を点線矢印の如く上方に進み、その一部は左枠３４Ｂおよび右枠３４Ｃの凹んだ部分に設けられた第３および第４の吹出口４６、４６からガラス扉の中央側方向に図１１の矢印の如く吹き出す。残りの暖気は、さらに上方に進み、蛍光ランプ４０が収容されている上枠３４Ａの空間３１内に到達する。そして、蛍光ランプを冷却しつつ、この上枠３４Ａの下部に設けられた第２の吹出口から、図５および図７の矢印の如く今度は下方に暖気が吹き出す。
【００２６】
そして、上枠３４Ａの下部３４ｅが蛍光ランプ４０に接近するに従い、上枠３４Ａの下部３４ｅの切欠部４４、４４の幅がしだいに広くなっているので、複層ガラス２１の中央部までの距離が遠くなるにつれて、第２の吹出口から吹き出す風量は増加している。これにより、ガラス面の結露を均一に防止することができるようになる。
【００２７】
このように、枠部材３４の４方向から暖気が吹き出し、より広い範囲に暖気が行き渡るようになり、また、ガラス面の結露を均一に防止することができるので、複層ガラス２１前面および枠部材３４の表面への結露が効果的に防止若しくは抑制される。また、上枠３４Ａに到達するまでに多少枠部材３４により、左枠３４Ｂおよび右枠３４Ｃの空間３１、３１を進んだ暖気は冷やされるが、上枠３４Ａに到達した暖気は蛍光ランプ４０の発熱により再度加熱され、上枠３４Ａから吹き出す暖気の温度が上昇するので、上記の結露をいっそう防止もしくは抑制することができる。一方、蛍光ランプ４０は、この過程で冷却されるため、その寿命を伸ばすことができる。
【００２８】
尚、複層ガラス２１の前面に結露が生じた場合、当該結露はその表面を伝って流下し、露受け部４７に流入する。そして、この露受け部４７の下側および前側を流れる暖気によって蒸発処理され、蒸発しきれなかった一部の結露水は露受４７に設けられた小孔４１からその下方に設置された露受皿２０に導かれる。
【００２９】
次に、蛍光ランプが貯蔵室の商品を照らす際は、蛍光ランプ管球外周の全体から商品を照らす方が、管球の一部によって照らすより明るいのは明らかである。したがって、蛍光ランプ４０外周の最前方から複数の切欠部４４、４４の縁部４９、４９を通過して最前列の商品に至る角度が、略一定の角度であれば、同一の棚に載置している商品の照度が一定で、展示効果が優れたものとなる。ここで、本実施例では、上枠３４Ａの下部３４ｅは、正面から見て右が上方へ、左が下方へなだらかに下がっている。そこで、下部３４ｅと蛍光ランプ４０との距離が接近するに従い、切欠部４４、４４の幅をしだいに広くして、切欠部４４、４４の縁部４９、４９を前方に移動させている。したがって、図５および図７に示す如く、蛍光ランプ４０外周の最前方から複数の切欠部４４、４４の縁部４９、４９を通過して貯蔵室３に至る照明の光線の角度（図５のＬ１−Ｌ２線）が、商品のどの縁部４９、４９においても略一定の角度となる。これにより、貯蔵室３内の同一の棚１７Ａ、１７Ｂ・・・に載置されている最前列の商品５７、５７・・・に当たる照度が略均一となり、ショーケースの展示効果として好ましいものとなる。
【００３０】
尚、図５では、最下段の棚１７Ａより上の棚１７Ｂ・・・に載置している商品５７Ｂ・・・のフェース面（最前列の商品）の下部には、蛍光ランプ４０の照明が届いているが、最下段の商品５７Ａのフェース面には届いていない。しかし、最下段の商品５７Ａのフェース面にまで蛍光ランプ４０の照明が届くようにすることは容易である。例えば、図１２に示す如く、蛍光ランプ４０から複数の切欠部４４、４４の縁部４９、４９を通過して貯蔵室３に至る照明の光線の角度（図５のＬ１−Ｌ２線）が図１２のＬ３−Ｌ４線となる位置にまで、縁部４９、４９を低温ショーケースの前方に少なくとも移動させればよく、この場合は、さらに、最下段の商品５７Ａに対する展示効果が優れたものとなる。
【００３１】
また、本実施例では、下部３４ｅの一部をガラス面に当接させた当接部４２を設けてあるので、例えば、上枠３４Ａを手指により押されたばあいでも、前記当接部４２が扉ガラスに当接し、上枠３４Ａの破損や変形が防止できる。
【００３２】
本発明は透光性でない枠部材３４について説明したが、これに限られず、上枠３４Ａが透光性のものである場合にも、上枠３４Ａの下部３４ｅに、切欠部４４、４４を設け、上枠３４Ａの下部３４ｅが蛍光ランプ４０に接近するに従い、切欠部４４、４４の幅をしだいに広くし、切欠部４４、４４の縁部４９、４９を前方に移動させることにより、蛍光ランプ４０から複数の切欠部４４、４４の縁部４９、４９を通過して貯蔵室３に至る照明の光線の角度（図５のＬ１−Ｌ２線）を一定とすることができる。貯蔵室３内の同一の棚１７Ａ、１７Ｂ・・・に載置されている商品に当たる照度が均一になり、また、切欠部以外の部分からも光が透過するので、ショーケースの展示効果としてさらに好ましいものとなる。
【００３３】
【発明の効果】
以上詳述した如く、本発明によれば、貯蔵室の商品に対する蛍光ランプの照度を向上させるとともに、同一の棚に載置している商品に対する照度を略均一にすることにより、商品への展示効果を向上させることができる。
【図面の簡単な説明】
【図１】本発明の低温ショーケースの正面図である。
【図２】本発明の低温ショーケースの右側面図である。
【図３】低温ショーケースの平面図である。
【図４】図１におけるＡ−Ａ断面図である。
【図５】図１におけるＢ−Ｂ断面図である。
【図６】図５におけるＣ部詳細図である。
【図７】図４におけるＤ部詳細図である。
【図８】図１におけるＥ−Ｅ断面図である。
【図９】図１におけるＦ−Ｆ断面図である。
【図１０】図１におけるＧ−Ｇ断面図である。
【図１１】図９におけるＨ部詳細図である。
【図１２】切欠部の縁部が前方に位置した場合の図１におけるＢ−Ｂ断面図である。
【符号の説明】
１  低温ショーケース
３  貯蔵室
４  断熱箱体
２２  ガラス扉
３１  空間
３４  枠部材
３４Ａ  上枠
３４Ｄ  下枠
３６  扉枠
４０  蛍光ランプ
Ｌ１−Ｌ２  蛍光ランプから切欠部の縁部を通過して貯蔵室に至る照明の光線の角度
【図１】
0003802294.tif 000002
【図２】
0003802294.tif 000003
【図３】
0003802294.tif 000004
【図４】
0003802294.tif 000005
【図５】
0003802294.tif 000006
【図６】
0003802294.tif 000007
【図７】
0003802294.tif 000008
【図８】
0003802294.tif 000009
【図９】
0003802294.tif 000010
【図１０】
0003802294.tif 000011
【図１１】
0003802294.tif 000012
【図１２】
0003802294.tif 000013